(57)【要約】【課題】接着剤の使用量が多過ぎた場合であっても、溝に流入した余分な接着剤を逃がす方向を決めることができ、採光窓から接着剤が外に食み出すのを防止できる採光用小窓部材を提供する。【解決手段】建具１の化粧板３に接着剤Ａを介して接着される接着部１４と、接着部１４に接着部１４よりも突出して設けられ、化粧板３の採光窓４に嵌め込まれる採光部１２とを有する採光用小窓部材１０であって、接着部１４には、開始端側が幅狭で終端側に向かうにしたがって幅広となり、終端側の先端が採光用小窓部材１０の外周縁と連通して外部に開口している溝１６が複数形成されていることを特徴とする。【選択図】図１
2017119950.tif 000002
【特許請求の範囲】
【請求項１】
建具の化粧板に接着剤を介して接着される接着部と、前記接着部に前記接着部よりも突出して設けられ、前記化粧板の採光窓に嵌め込まれる採光部とを有する採光用小窓部材であって、
前記接着部には、開始端側が幅狭で終端側に向かうにしたがって幅広となり、終端側の先端が採光用小窓部材の外周縁と連通して外部に開口している溝が複数形成されていることを特徴とする採光用小窓部材。
【請求項２】
建具の化粧板に接着剤を介して接着される接着部と、前記接着部に前記接着部よりも突出して設けられ、前記化粧板の採光窓に嵌め込まれる採光部とを有する採光用小窓部材であって、
前記接着部には、開始端側が浅く終端側に向かうにしたがって深くなり、終端側の先端が採光用小窓部材の外周縁と連通して外部に開口している溝が複数形成されていることを特徴とする採光用小窓部材。
【請求項３】
建具の化粧板に接着剤を介して接着される接着部と、前記接着部に前記接着部よりも突出して設けられ、前記化粧板の採光窓に嵌め込まれる複数の採光部とを有する採光用小窓部材であって、
前記接着部には、前記複数の採光部の間にて表面側と裏面側とを連通する１または複数の接着剤逃がし孔と、開始端側が幅狭で終端側に向かうにしたがって幅広となり、終端側の先端が採光用小窓部材の外周縁または前記接着剤逃がし孔と連通して外部に開口している複数の溝とが形成されていることを特徴とする採光用小窓部材。
【請求項４】
建具の化粧板に接着剤を介して接着される接着部と、前記接着部に前記接着部よりも突出して設けられ、前記化粧板の採光窓に嵌め込まれる複数の採光部とを有する採光用小窓部材であって、
前記接着部には、前記複数の採光部の間にて表面側と裏面側とを連通する１または複数の接着剤逃がし孔と、開始端側が浅く終端側に向かうにしたがって深くなり、終端側の先端が採光用小窓部材の外周縁または前記接着剤逃がし孔と連通して外部に開口している複数の溝とが形成されていることを特徴とする採光用小窓部材。
【請求項５】
前記各溝は、前記採光部を中心として放射状に延びていることを特徴とする請求項１〜４のいずれかに記載の採光用小窓部材。
【請求項６】
前記採光部、前記接着部および前記溝が採光用小窓部材の表裏両面に形成されていることを特徴とする請求項１〜５のいずれかに記載の採光用小窓部材。
【発明の詳細な説明】
【技術分野】
【０００１】
本発明は、建具に設けられた採光用の小窓に取り付けて用いられる採光用小窓部材に関する。
【背景技術】
【０００２】
例えば、建具の彩光用の小窓（採光窓）に採光用小窓部材を取り付ける場合のように、一の部材と他の部材とを固着させる際には、接着剤が用いられる。その際に使用する接着剤の量が少なすぎると、十分な接着力を得ることができず、被接着対象物に接着したはずの接着物が接着面から落下するといった問題がある。逆に、接着剤の量が多すぎると、接着剤が接着部位から食み出してしまい、外観上見苦しいという問題がある。
【０００３】
そこで、このような問題を防止することを目的として、接着部に接着剤が食み出るのを防止するための溝を設けることが従来から行われている（例えば、特許文献１〜２参照）。このように接着面に溝を設ければ、接着面に塗布した接着剤の量が多すぎた場合でも、余分な接着剤を溝に逃がすことができるので、接着剤が接着部位から食み出すことを防止でき、外観不良を招くといった問題が生じることはない。
【先行技術文献】
【特許文献】
【０００４】
【特許文献１】特開平６−３０３３２号公報（第４頁、図２）
【特許文献２】特開２０１２−１８８８４４号公報（図１）
【発明の概要】
【発明が解決しようとする課題】
【０００５】
接着面に従来技術のような溝を予め設けておけば、接着剤の量が多すぎた場合であっても上述したように余分な接着剤を溝に逃がすことが出来るが、溝内に流入した接着剤が逃げる方向まで特定することはできなかった。そのため、特に光を透過するような採光用小窓部材を採光窓に接着する場合、溝内に流入した余分な接着剤が採光窓に向かって流れると、採光窓と採光用小窓部材との間の隙間から接着剤が食み出すおそれがあり、製品の外観が劣るだけでなく、商品価値も下げてしまう恐れがあった。
【０００６】
本発明はかかる問題を解決すべくなされたものであり、接着剤の使用量が多過ぎた場合であっても、溝に流入した余分な接着剤を逃がす方向を決めることができ、採光窓から接着剤が外に食み出すのを防止できる採光用小窓部材を提供する。
【課題を解決するための手段】
【０００７】
請求項１に記載した発明は、「建具１の化粧板３に接着剤Ａを介して接着される接着部１４と、接着部１４に接着部１４よりも突出して設けられ、化粧板３の採光窓４に嵌め込まれる採光部１２とを有する採光用小窓部材１０（１０Ａ）であって、接着部１４には、開始端側が幅狭で終端側に向かうにしたがって幅広となり、終端側の先端が採光用小窓部材１０（１０Ａ）の外周縁と連通して外部に開口している溝１６が複数形成されている」ことを特徴とする採光用小窓部材１０（１０Ａ）である。
【０００８】
請求項２に記載した発明は、「建具１の化粧板３に接着剤Ａを介して接着される接着部１４と、接着部１４に接着部１４よりも突出して設けられ、化粧板３の採光窓４に嵌め込まれる採光部１２とを有する採光用小窓部材１０（１０Ａ）であって、接着部１４には、開始端側が浅く終端側に向かうにしたがって深くなり、終端側の先端が採光用小窓部材１０（１０Ａ）の外周縁と連通して外部に開口している溝１６が複数形成されている」ことを特徴とする採光用小窓部材１０（１０Ａ）である。
【０００９】
請求項３に記載した発明は、複数の採光部１２（１２ａ，１２ｂ，１２ｃ・・・）が形成されている場合で「建具１の化粧板３に接着剤Ａを介して接着される接着部１４と、接着部１４に接着部１４よりも突出して設けられ、化粧板３の採光窓４に嵌め込まれる複数の採光部１２（１２ａ，１２ｂ，１２ｃ・・・）とを有する採光用小窓部材１０（１０Ｂ）であって、接着部１４には、複数の採光部１２（１２ａ，１２ｂ，１２ｃ・・・）の間にて表面側と裏面側とを連通する１または複数の接着剤逃がし孔１８と、開始端側が幅狭で終端側に向かうにしたがって幅広となり、終端側の先端が採光用小窓部材１０（１０Ｂ）の外周縁または接着剤逃がし孔１８と連通して外部に開口している複数の溝１６とが形成されている」ことを特徴とする。
【００１０】
請求項４に記載した発明は、「建具１の化粧板３に接着剤Ａを介して接着される接着部１４と、接着部１４に接着部１４よりも突出して設けられ、化粧板３の採光窓４に嵌め込まれる複数の採光部１２（１２ａ，１２ｂ，１２ｃ・・・）とを有する採光用小窓部材１０（１０Ｂ）であって、接着部１４には、複数の採光部１２（１２ａ，１２ｂ，１２ｃ・・・）の間にて表面側と裏面側とを連通する１または複数の接着剤逃がし孔１８と、開始端側が浅く終端側に向かうにしたがって深くなり、終端側の先端が採光用小窓部材１０（１０Ｂ）の外周縁または接着剤逃がし孔１８と連通して外部に開口している複数の溝１６とが形成されている」ことを特徴とする。
【００１１】
請求項５に記載した発明は、「各溝１６は、採光部１２を中心として放射状に延びている」ことを特徴とする。
【００１２】
請求項６に記載した発明は、「採光部１２、接着部１４および溝１６が採光用小窓部材１０Ｃの表裏両面に形成されている」ことを特徴とする。
【発明の効果】
【００１３】
請求項１または請求項２に記載の採光用小窓部材１０（１０Ａ）によれば、各溝１６の開始端側が幅狭で終端側が幅広となるように、或いは、各溝１６の開始端側が浅く終端側が深くなるように形成されているので、接着部１４に塗布した接着剤Ａの量が多過ぎて溝１６内に多量の接着剤Ａが流れ込んだとしても、溝１６内の接着剤Ａは開始端側から終端側へと向かって一方向に流れ、溝１６の終端側の先端開口（採光用小窓部材１０（１０Ａ）の外周縁）から食み出ることとなる。
【００１４】
ここで、採光用小窓部材１０（１０Ａ）の外周縁は、化粧板３に隠れているので、溝１６の先端開口から食み出た接着剤Ａが外から見えるようなことはなく、製品の外観を損ねて商品価値が低下するようなこともない。
【００１５】
請求項３または請求項４に記載の採光用小窓部材１０（１０Ｂ）によれば、各溝１６の開始端側が幅狭で終端側が幅広となるように、或いは、各溝１６の開始端側が浅く終端側が深くなるように形成されているので、接着部１４に塗布した接着剤Ａの量が多過ぎて溝１６内に多量の接着剤Ａが流れ込んだとしても、溝１６内の接着剤Ａは開始端側から終端側へと向かって一方向に流れることとなる。
【００１６】
ここで、溝１６の先端は、採光用小窓部材１０（１０Ｂ）の外周縁または接着剤逃がし孔１８と連通して外方に開口しているので、溝１６内を流れた余分な接着剤Ａは、採光用小窓部材１０（１０Ｂ）の外周縁或いは接着剤逃がし孔１８から外方に食み出すこととなる。
【００１７】
ここで、採光用小窓部材１０（１０Ｂ）の外周縁や採光部１２（１２ａ，１２ｂ，１２ｃ・・・）間に形成した接着剤逃がし孔１８は、化粧板３に隠れて外からは見えないので、採光用小窓部材１０（１０Ｂ）の外周縁或るいは接着剤逃がし孔１８から食み出た接着剤Ａが外から見えるようなことはなく、製品の外観を損ねて商品価値が低下するようなこともない。
【００１８】
請求項５に記載の発明によれば、各溝１６が採光部１２を中心として放射状に延びているので、溝１６内に流れ込んだ接着剤Ａが溝１６の上流側に位置する採光部１２と採光窓４との間の隙間から食み出すようなことはない。
【００１９】
請求項６に記載の発明によれば、建具１の採光窓４の形状が左右対称で、これに合わせて採光部１２の意匠が左右対称であったとしても、１種類の採光用小窓部材１０で表裏両方の化粧板３に取り付けることができるので、在庫管理が容易となる。
【図面の簡単な説明】
【００２０】
【図１】この発明の一実施例の採光用小窓部材を示す斜視図である。
【図２】（Ａ）接着剤塗布前の採光用小窓部材を示す図である。（Ｂ）接着剤塗布後の採光用小窓部材を示す図である。
【図３】採光用小窓部材を化粧板の背面側から取り付ける様子を示した図である。
【図４】化粧板の背面側に採光用小窓部材を接着した状態を示す図である。
【図５】第２実施例の採光用小窓部材を示す図である。
【図６】建具の分解斜視図である。
【図７】第３実施例の採光用小窓部材を示す図である。
【発明を実施するための形態】
【００２１】
以下、本発明を図面に従って説明する。図１は、本発明にかかる第１実施例の採光用小窓部材１０を示す図である。
【００２２】
本発明の採光用小窓部材１０は、図２に示すような建具１の採光窓４に取り付けて使用されるものである。そこで、まず最初に建具１の構造について簡単に説明し、然る後、採光用小窓部材１０について説明する。
【００２３】
建具１は、矩形枠状の枠体２と、枠体２の表裏両面にそれぞれ設けられた矩形薄板状の化粧板３と、採光用小窓部材１０とで大略構成されている。化粧板３には、採光窓４が形成されており、この採光窓４に採光用小窓部材１０がその裏面側から接着剤Ａで接着される。採光窓４の形状や大きさは、任意のものとすることができ、第１実施例（図１）では円形状、第２実施例（図４）では、動物の足型が採用されている。
【００２４】
採光用小窓部材１０（１０Ａ）は、全体がアクリルなどの透光性材料により形成された板状の部材で、その表面中央部分には、採光部１２が設けられている。
【００２５】
採光部１２は、その外周形状が採光窓４の内周形状に合わせて形成されており、採光窓４に嵌めこむことができるよう、その周辺部分よりも表面側に突出して形成されている（換言すれば、後述する接着部１４に接着部１４よりも表面側に突出した採光部１２が形成されていることになる）。
【００２６】
採光部１２の周囲には、接着部１４が形成されている。接着部１４は、化粧板３への接着面となる部分で、その表面が平滑面にて形成されている。
【００２７】
接着部１４には、採光部１２を中心として放射状に延びる溝１６が複数形成されている。各溝１６の開始端（採光部１２に近い側の端部）は、採光部１２から隙間を開けて開始されており、溝１６の終端（採光部１２から遠い側の端部であり、採光用小窓部材１０Ａの外周側）は、採光用小窓部材１０（１０Ａ）の外周縁と連通して外部に開口している。
【００２８】
各溝１６の幅は、図２に示すように、採光部１２に近い開始端側が幅狭で、終端側に向かうにしたがって（採光部１２から遠くなるにしたがって）幅広となるように形成されている。したがって、溝１６の開始端側（採光部１２に近い側）の幅ｘ１と、終端側（採光部１２から遠い採光用小窓部材１０Ａの外周縁側）の幅ｘ２との間には、ｘ１＜ｘ２の関係が成立している。これにより、後述するように溝１６内に流入した接着剤Ａが開始端側（採光部１２に近い側）から終端側（採光用小窓部材１０Ａの外周側）へと一方向に流れることとなる。
【００２９】
なお、溝１６の形状は、溝１６内に流入した接着剤Ａが開始端側から終端側へと一方向に流れることができればどのようなものであってもよく、例えば、図３に示すように、各溝１６の深さについて開始端側である採光部１２に近い側が浅く、採光部１２から遠ざかるにしたがって（終端側である採光用小窓部材１０Ａの外周側へ向かうにしたがって）深くなるように形成してもよい。この場合、開始端側（採光部１２側）の深さｙ１と、終端側（採光部１２から遠い側）の深さｙ２との間には、ｙ１＜ｙ２の関係が成立している。もちろん、各溝１６の幅と深さの両方を上述した関係に規定するようにしてもよい。
【００３０】
以上のように構成された採光用小窓部材１０Ａを建具１に取り付ける際には、接着部１４のうち、溝１６が形成されていない部分に接着剤Ａを塗布する（図２（Ｂ）参照）。そして、採光部１２が採光窓４に嵌まり込むように採光用小窓部材１０Ａの位置決めを行い（図３参照）、採光用小窓部材１０Ａを化粧板３にその背面側から押し当てる。
【００３１】
化粧板３に採光用小窓部材１０Ａを強く押し付けると、接着部１４に塗布されている接着剤Ａは、その押圧力により化粧板３と接着部１４との間の隙間を縫うように接着部１４の周辺に向かって押し広げられる。
【００３２】
各接着部１４の周辺に向かって押し広げられた接着剤Ａが溝１６に到達すると、そのまま溝１６内に流れ込む。
【００３３】
ここで、溝１６は、その幅について開始端側（採光部１２側）が幅狭で、採光部１２から遠ざかるにしたがって幅広となるように形成されており、或いは、その深さについて、開始端側（採光部１２側）が浅く、採光部１２から遠ざかるにしたがって深くなるように形成されている。
【００３４】
したがって、溝１６内に大量の接着剤Ａが流入したとしても、溝１６内に流入した接着剤Ａは、上流である開始端側（採光部１２側）から下流である溝１６の終端側（採光用小窓部材１０Ａの外周側）に向けて一方向に流れることとなる。
【００３５】
溝１６の先端（終端である採光用小窓部材１０Ａの外周側）は採光用小窓部材１０Ａの外周縁と連通して外部に開口しているので、溝１６内に流入した大量の接着剤Ａは、溝１６の先端開口部から外に食み出ることとなる。
【００３６】
ここで、採光用小窓部材１０Ａの外周縁は、化粧板３に隠れて外から見えることはない。したがって、溝１６の先端開口部から外に食み出た接着剤Ａが外観上視認されるようなことはない。
【００３７】
また、溝１６は採光部１４を中心として放射状に形成されており、上述したように溝１６内に流入した接着剤Ａは、上流側である採光部１２側（開始端側）から下流側である溝１６の先端側（採光用小窓部材１０Ａの外周側。終端側）に向けて一方向に流れることから、その上流側である採光部１２と採光窓４との間の隙間から接着剤Ａが食み出るようなこともない。
【００３８】
このように、本実施例の採光用小窓部材１０Ａによれば、溝１６内に流れ込んだ余分な接着剤Ａが上流側である採光部１２側（開始端側）から下流側である溝１６の先端（採光用小窓部材１０Ａの外周側。終端側）に向けて一方向に流れることが出来るため、化粧板３の表面側に接着剤Ａが食み出て外部から視認できるようなことはなく、建具１の外観を損ねたり、商品価値を低下させるようなことがない。
【００３９】
上述した実施例では、接着部１４の中央に１つの採光部１２を形成した例について説明したが、図５に示す第２実施例の採光用小窓部材１０（１０Ｂ）のように、複数の採光部１２（１２ａ，１２ｂ，１２ｃ・・・）を形成するようにしてもよい。
【００４０】
図５に示す第２実施例では、採光用小窓部材１０Ｂの表面側右下部分に第１の採光部１２ａが設けられており、第１の採光部１２ａの周囲に第２の採光部１２ｂ、第３の採光部１２ｃ、第４の採光部１２ｄならびに第５の採光部１２ｅが所定間隔を隔てて配置されており、全体として動物の足型を模した形状を呈している（建具１の化粧板３には、採光部１２ａ〜１２ｅに対応する形状の採光窓４が形成されている）。
【００４１】
接着部１４における複数の採光部１２（１２ａ，１２ｂ，１２ｃ・・・）の間には、採光用小窓部材１０Ｂの表面側と裏面側とを連通する接着剤逃がし孔１８が複数（本実施例では３つ）形成されている。なお、接着剤逃がし孔１８の数は特に限定されるものではなく、１つでもいいし、２つでもいいし、４つ以上設けるようにしてもよく、必要に応じて適宜設定すればよい。
【００４２】
また、接着部１４には、複数の溝１６が各採光部１２ａ〜１２ｅを中心として放射状に延びるように形成されている。各溝１６の開始端（採光部１２に近い側）は、採光部１２（１２ａ〜１２ｅ）から隙間を開けて開始されており、採光部１２ａ〜１２ｅから遠い側の終端は、採光用小窓部材１０Ｂの外部と連通しているか、或いは、上記接着剤逃がし孔１８と連通して外方に開口している。
【００４３】
各溝１６の幅は、開始端側（採光部１２ａ〜１２ｅに近い側）が幅狭で、採光部１２ａ〜１２ｅから遠ざかるにしたがって幅狭となっている（もちろん、第１実施例と同様、各溝１６の深さを、開始端側（採光部１２ａ〜１２ｅに近い側）が浅く、採光部１２ａ〜１２ｅから遠ざかるにしたがって深くなるように形成してもよいし、両方を採用するようにしてもよい）。
【００４４】
本実施例の採光用小窓部材１０Ｂにおいても、第１実施例の場合と同様の作用効果を得ることができる。すなわち、各接着部１４の周辺に向かって押し広げられた接着剤Ａが溝１６内に流入すると、溝１６内に流入した余分な接着剤Ａは、上流である開始端側（採光部１２（１２ａ，１２ｂ，１２ｃ・・・）に近い側）から、下流側である終端側（溝１６の先端開口側）に向けて一方向に流れることとなるので、各溝１６の上流側である採光部１２（１２ａ，１２ｂ，１２ｃ・・・）と採光窓４との間の隙間から接着剤Ａが食み出るようなことはない。
【００４５】
また、各溝１６の終端は、採光用小窓部材１０Ｂの外周縁、或いは、接着剤逃がし孔１８と連通して外部に開口しているので、採光用小窓部材１０Ｂの外周縁或いは接着剤逃がし孔１８から外に食み出た接着剤Ａは化粧板３に隠れて外から見えることがない。
【００４６】
なお、上述した第１実施例および第２実施例では、各溝１６が採光部１２を中心として放射状に形成されており、その始点が採光部１２の近傍に位置するように設定されていたが、その終端が採光用小窓部材１０（１０Ａ，１０Ｂ）の外周縁或いは接着剤逃がし孔１８と連通して外部に開口しておれば始点の位置は特に限定されるものではない。例えば、図示しないが、各溝１６を接着部１４の表面に縦横に形成するようにしてもよい。
【００４７】
また、上述した第１実施例および第２実施例では、採光用小窓部材１０（１０Ａ，１０Ｂ）の片面に採光部１２、接着部１４ならびに溝１６を形成するようにしたが、図５に示す第３実施例の採光用小窓部材１０Ｃのように、採光用小窓部材１０Ｃの表裏両面に採光部１２、接着部１４ならびに溝１６を形成するようにしてもよい。この場合、表裏両面に形成される採光部１２、接着部１４ならびに溝１６が、表裏で鏡像関係となるように設定される。
【００４８】
本実施例の場合、採光部１２の形状が左右対称の場合であっても、左右非対称の場合であっても、１種類の採光用小窓部材１０Ｃを用意しておくだけで表裏両側の化粧板３に取り付けることが可能となり、在庫管理が簡単になるという利点がある。
【符号の説明】
【００４９】
１：建具、２：枠体、３：化粧板、４：採光窓、１０：採光用小窓部材、１２：採光部、１２ａ：第１の採光部、１２ｂ：第２の採光部、１２ｃ：第３の採光部、１２ｄ：第４の採光部、１２ｅ：第５の採光部、１４：接着部、１６：溝、１８：接着剤逃がし孔、Ａ：接着剤、ｘ１：溝の開始端側の幅、ｘ２：溝の終端側の幅、ｙ１：溝の開始端側の深さ、ｙ２：溝の終端側の深さ
【図１】
2017119950.tif 000003
【図２】
2017119950.tif 000004
【図３】
2017119950.tif 000005
【図４】
2017119950.tif 000006
【図５】
2017119950.tif 000007
【図６】
2017119950.tif 000008
【図７】
2017119950.tif 000009